(57)【要約】【課題】Ｗｅｂブラウザを利用しない新技術認証に対応した広告配信を実現することのできる無線中継装置を提供する。【解決手段】アクセスポイント２０は、ＳＳＩＤ、認証情報、及び広告ページを紐付ける広告配信テーブルＴ２を記憶するＤＲＡＭ／ＦＲＯＭ２３と、ユーザ端末１０から送信される認証情報から接続先を特定する接続先情報を抽出し、広告配信テーブルＴ２と接続先情報を突合し、ＳＳＩＤと認証情報の組み合わせに基づいて配信対象の広告ページを選択する認証機能部２１と、認証成功したユーザ端末１０からの初回ＨＴＴＰ通信時のみに配信対象の広告ページを認証成功したユーザ端末１０に配信する広告配信機能部２２とを備える。【選択図】図２
2017017534.tif 000002
【特許請求の範囲】
【請求項１】
ＳＳＩＤ、認証情報、及び広告ページを紐付ける広告配信テーブルを記憶する記憶部と、
ユーザ端末から送信される認証情報から接続先を特定する接続先情報を抽出し、前記広告配信テーブルと前記接続先情報を突合し、前記ＳＳＩＤと前記認証情報の組み合わせに基づいて配信対象の広告ページを選択する認証機能部と、
認証成功したユーザ端末からの初回ＨＴＴＰ通信時のみに前記配信対象の広告ページを前記認証成功したユーザ端末に配信する広告配信機能部と
を備えることを特徴とする無線中継装置。
【請求項２】
前記認証機能部は、前記接続先情報として、ユーザＩＤに含まれるレルム又はＳＩＭカードに含まれるＭＮＣを抽出することを特徴とする請求項１に記載の無線中継装置。
【請求項３】
前記認証機能部は、前記レルムと前記ＭＮＣのいずれでもないことを意味する特定値が前記広告配信テーブルに設定されている場合、前記ＳＳＩＤ単位で前記配信対象の広告ページを選択することを特徴とする請求項２に記載の無線中継装置。
【請求項４】
前記認証機能部は、Ｗｅｂブラウザを利用しない認証方式、Ｗｅｂブラウザを利用する認証方式の両方に対応することを特徴とする請求項１〜３のいずれか１項に記載の無線中継装置。
【発明の詳細な説明】
【技術分野】
【０００１】
本発明は、無線中継装置に関し、特に、公衆無線ＬＡＮにおける広告配信機能に関する。
【背景技術】
【０００２】
近年、スマートフォンの普及に伴い、無線トラフィックが増加している。また、２０２０年の東京オリンピックを見据え、国を上げて公衆無線ＬＡＮの充実を展開している。
【０００３】
公衆無線ＬＡＮには、利用ユーザに月額料金を必要とする有料Ｗｉ−Ｆｉと、提供主（キャリア・店舗・自治体等）が費用負担を行い、利用ユーザは無料でサービス利用できるフリーＷｉ−Ｆｉがある。昨今は後者が主流となっている。
【０００４】
フリーＷｉ−Ｆｉを実現する方式の１つとして、提供主（キャリア・店舗・自治体等）の対価を考慮した広告配信方式がある。このような広告配信方式では、Ｗｅｂブラウザを利用したユーザ認証時に広告ページを表示し、視聴完了することによって無料でサービス利用させるようになっている（例えば、特許文献１〜３参照）。
【先行技術文献】
【特許文献】
【０００５】
【特許文献１】特開２００８−０４２８６２号公報
【特許文献２】特開２０１１−２５８２０３号公報
【特許文献３】特開２０１２−１３４７０３号公報
【発明の概要】
【発明が解決しようとする課題】
【０００６】
昨今は、Ｗｅｂブラウザを利用しない新技術認証が主流である。新技術認証とは、具体的には、ＩＥＥＥ８０２．１ｘ認証（ＥＡＰ−ＳＩＭ／ＥＡＰ−ＴＴＬＳ等）を指す。従来技術であるＷｅｂブラウザ上の認証に対する広告配信では、新技術認証に対応できない。
【０００７】
本発明は、上述した従来の技術に鑑み、Ｗｅｂブラウザを利用しない新技術認証に対応した広告配信を実現することのできる無線中継装置を提供することを目的とする。
【課題を解決するための手段】
【０００８】
上記目的を達成するため、第１の態様に係る発明は、無線中継装置であって、ＳＳＩＤ、認証情報、及び広告ページを紐付ける広告配信テーブルを記憶する記憶部と、ユーザ端末から送信される認証情報から接続先を特定する接続先情報を抽出し、前記広告配信テーブルと前記接続先情報を突合し、前記ＳＳＩＤと前記認証情報の組み合わせに基づいて配信対象の広告ページを選択する認証機能部と、認証成功したユーザ端末からの初回ＨＴＴＰ通信時のみに前記配信対象の広告ページを前記認証成功したユーザ端末に配信する広告配信機能部とを備えることを要旨とする。
【０００９】
第２の態様に係る発明は、第１の態様に係る発明において、前記認証機能部が、前記接続先情報として、ユーザＩＤに含まれるレルム又はＳＩＭカードに含まれるＭＮＣを抽出することを要旨とする。
【００１０】
第３の態様に係る発明は、第２の態様に係る発明において、前記認証機能部が、前記レルムと前記ＭＮＣのいずれでもないことを意味する特定値が前記広告配信テーブルに設定されている場合、前記ＳＳＩＤ単位で前記配信対象の広告ページを選択することを要旨とする。
【００１１】
第４の態様に係る発明は、第１〜第３のいずれか１つの態様に係る発明において、前記認証機能部が、Ｗｅｂブラウザを利用しない認証方式、Ｗｅｂブラウザを利用する認証方式の両方に対応することを要旨とする。
【発明の効果】
【００１２】
本発明によれば、Ｗｅｂブラウザを利用しない新技術認証に対応した広告配信を実現することのできる無線中継装置を提供することが可能である。
【図面の簡単な説明】
【００１３】
【図１】本発明の実施の形態における広告配信システムの概要を示す図である。
【図２】ＳＩＭカードにあるＩＭＳＩの構成を示す図である。
【図３】本発明の実施の形態におけるアクセスポイントの機能ブロック図である。
【図４】本発明の実施の形態における認証機能部の動作を示すフローチャートである。
【図５】本発明の実施の形態における認証テーブルの構成図である。
【図６】本発明の実施の形態における広告配信テーブルの設定画面を示す図である。
【図７】本発明の実施の形態における広告ページの通知シーケンスを示す図である。
【図８】本発明の実施の形態における広告配信機能部の動作を示すフローチャートである。
【図９】本発明の実施の形態における広告配信シーケンスを示す図である。
【図１０】本発明の実施の形態における広告配信シーケンスを示す図である。
【発明を実施するための形態】
【００１４】
以下、本発明の実施の形態について図面を参照して詳細に説明する。なお、以下の実施の形態は、この発明の技術的思想を具体化するための広告配信システムを例示するものであり、装置の構成やデータの構成等は以下の実施の形態に限定されるものではない。
【００１５】
（広告配信システム）
図１は、本発明の実施の形態における広告配信システムの概要を示す図である。この広告配信システムは、公衆無線ＬＡＮにおける広告配信サービスを実現するシステムである。公衆無線ＬＡＮ接続時に、Ｗｅｂブラウザを利用しない認証方式を用いた場合においても、提供主（キャリア・店舗・自治体等）が指定した広告ページを配信し、宣伝することを可能にする。
【００１６】
具体的には、図１（ａ）に示すように、複数のユーザ端末１０Ａ〜１０Ｆがアクセスポイント２０・固定網３０を介してインターネット４０に接続されている。インターネット４０には、Ｗｅｂサーバ５１，５２や動画サーバ６１，６２、図示しない認証サーバ等が存在する。
【００１７】
ユーザ端末１０Ａ〜１０Ｃは、Ｗｅｂブラウザが動作可能な無線端末である。ユーザ端末１０Ａ〜１０Ｃは、ＳＳＩＤ１のアクセスポイント２０に接続し、ユーザ端末１０Ｄ〜１０Ｆは、ＳＳＩＤ２のアクセスポイント２０に接続している。ＳＳＩＤ（Service Set Identifier）は、無線ＬＡＮにおけるアクセスポイント２０の識別名であり、１つのアクセスポイント２０に複数のＳＳＩＤを設定することも可能である。以下、ユーザ端末１０Ａ〜１０Ｆを特に区別しない場合は一括して「ユーザ端末１０」と呼ぶ。
【００１８】
Ｗｅｂサーバ５１，５２は、ユーザ端末１０からの要求に応じてＨＴＭＬ文書をはじめとする各種の情報を提供する装置である。Ｗｅｂサーバ５１，５２がユーザ端末１０に情報を提供する際に広告ページを配信することも可能である。以下、Ｗｅｂサーバ５１，５２を特に区別しない場合は一括して「Ｗｅｂサーバ５０」と呼ぶ。
【００１９】
動画サーバ６１，６２は、ユーザ端末１０からの要求に応じて動画を提供する装置である。動画サーバ６１，６２がユーザ端末１０に動画を提供する際に広告ページを配信することも可能である。以下、動画サーバ６１，６２を特に区別しない場合は一括して「動画サーバ６０」と呼ぶ。
【００２０】
アクセスポイント２０は、無線ＬＡＮで端末を相互に接続したり、他のネットワークに接続する無線中継装置であり、以下の（１）（２）（３）の機能を実現する。
（１）ユーザ端末１０から送信される認証情報を取得する機能
（２）認証情報から接続先を特定する情報（ユーザＩＤにあるレルム／ＳＩＭにあるＭＮＣ）を抽出し、広告配信テーブルＴ２と接続先情報を突合し、配信する広告ページを選択する機能
（３）認証成功後の初回ＨＴＴＰ通信時のみに指定した広告ページを配信する機能
アクセスポイント２０は、図１（ｂ）に示すような広告配信テーブルＴ２を備える。広告配信テーブルＴ２は、ＳＳＩＤ及び認証情報と、配信したい広告ページを紐付ける管理テーブルである。広告配信テーブルＴ２の詳細については後述する。
【００２１】
ユーザ端末１０Ａ〜１０Ｃは、ＳＳＩＤ１のアクセスポイント２０に接続しているため、ユーザ端末１０Ａ〜１０Ｃには、「ＳＳＩＤ及び認証情報」に合わせた広告ページが配信される。一方、ユーザ端末１０Ｄ〜１０Ｆは、ＳＳＩＤ２のアクセスポイント２０に接続しているため、ユーザ端末１０Ｄ〜１０Ｆには、「ＳＳＩＤ」単位で広告ページが配信される。
【００２２】
（認証情報、接続先情報）
本実施の形態でいう認証情報とは、「ユーザＩＤ＋パスワード」や「ＳＩＭカードの情報」である。以下に説明するように、この認証情報に含まれる接続先情報を利用する。
【００２３】
すなわち、一般的な公衆無線ＬＡＮサービスで利用されるユーザＩＤは「●●●＠ａｂｃ．ｃｏｍ」等の構成であり、＠以降をレルムと呼ぶ。このレルムを接続先情報として利用する。
【００２４】
また、ＳＩＭカードにあるＩＭＳＩ（International Mobile Subscriber Identity）は、携帯端末の識別に用いられるものであり、図２に示すように、ＭＣＣ、ＭＮＣ、ＭＳＩＮの３要素からなる。ＭＮＣは、接続キャリアを識別するためのコードである。日本においては、ＭＮＯ（Mobile Network Operator）である３キャリア（ＮＴＴｄｏｃｏｍｏ、ａｕ、ＳｏｆｔＢａｎｋ）が該当する。このＭＮＣを接続先情報として利用する。
【００２５】
（アクセスポイント）
図３は、本発明の実施の形態におけるアクセスポイント２０の機能ブロック図である。この図に示すように、アクセスポイント２０は、認証機能部２１と、広告配信機能部２２と、ＤＲＡＭ／ＦＲＯＭ２３と、ルータ処理部２４とを備える。
【００２６】
認証機能部２１は、ユーザ端末１０から送信される認証情報を上位の認証サーバにプロキシする機能を実現する。その際、認証情報から接続先情報を抽出し、広告配信テーブルＴ２と接続先情報を突合し、配信する広告ページを選択する。
【００２７】
広告配信機能部２２は、認証成功したユーザ端末１０からの初回ＨＴＴＰ通信時のみに広告ページを配信する機能を実現する。認証テーブルＴ１・広告配信テーブルＴ２と連携し、対象端末と広告ページを選択する。
【００２８】
ＤＲＡＭ／ＦＲＯＭ２３は、認証テーブルＴ１や広告配信テーブルＴ２等、各種のデータを記憶する記憶部である。認証テーブルＴ１は、認証成功したユーザ端末１０を登録するとともに、広告配信有無を判断するフラグと広告ページを管理する管理テーブルである。広告配信テーブルＴ２は、「ＳＳＩＤ」単位もしくは「ＳＳＩＤ及び認証情報」から配信する広告ページを指定するための管理テーブルである。広告配信テーブルＴ２は、Ｗｅｂ−ＧＵＩや遠隔設定を通じて設定可能となっている。
【００２９】
ルータ処理部２４は、ルータ処理を実施する処理部である。ルータ処理部２４の機能は一般的なものと同様であるため、詳しい説明を省略する。
【００３０】
（認証機能部の詳細）
認証機能部２１は、ユーザ端末１０から送信される認証情報を上位の認証サーバにプロキシする。また、Ｗｅｂブラウザを利用しない認証方式（ＩＥＥＥ８０２．１ｘ等）、Ｗｅｂブラウザを利用する認証方式（ＩＤ／ＰＡＳＳ等）の両方に対応する。また、認証情報から接続先を特定する情報（ユーザＩＤにあるレルム／ＳＩＭにあるＭＮＣ）を抽出する。また、広告配信テーブルＴ２と接続先情報を突合し、突合結果を認証テーブルＴ１に登録する。
【００３１】
図４は、本発明の実施の形態における認証機能部２１の動作を示すフローチャートである。まず、認証機能部２１は、ユーザ端末１０から認証情報を受信すると（Ｓ１）、認証情報から接続先情報（レルム，ＭＮＣ）を抽出するとともに（Ｓ２）、認証情報を上位の認証サーバにプロキシ転送する（Ｓ３）。次いで、認証サーバから認証結果を受信すると（Ｓ４）、認証成功であるか認証失敗であるかを判断し（Ｓ５）、認証失敗である場合は、認証失敗をユーザ端末１０に転送する（Ｓ６）。一方、認証成功である場合は、認証テーブルＴ１にユーザ端末１０のＭＡＣアドレスを登録する（Ｓ７）。また、接続先情報と広告配信テーブルＴ２を突合し（Ｓ８）、一致の有無を判断する（Ｓ９）。突合結果が一致有りの場合は、認証テーブルＴ１へ広告フラグ有り（１）で登録し（Ｓ１０）、認証成功をユーザ端末１０に転送する（Ｓ１２）。一方、突合結果が一致無しの場合は、認証テーブルＴ１へ広告フラグ無し（０）で登録し（Ｓ１１）、認証成功をユーザ端末１０に転送する（Ｓ１２）。
【００３２】
（認証テーブルの詳細）
図５は、本発明の実施の形態における認証テーブルＴ１の構成図である。この図に示すように、認証テーブルＴ１は、エントリナンバー毎に「ＭＡＣアドレス」「広告フラグ」「広告配信Ｎｏ」を紐付けて管理している。
【００３３】
領域Ｅ１には、認証成功したユーザ端末１０のＭＡＣアドレスを登録する。領域Ｅ２には、広告配信テーブルＴ２と接続先情報の突合結果を示す広告フラグを登録する。広告フラグ有り（１）は、突合結果が一致ありの場合を示し、広告フラグ無し（０）は、突合結果が一致なしの場合、又は広告配信済みの場合を示す。すなわち、広告配信後、広告フラグ有り（１）が広告フラグ無し（０）に変更されるようになっている。広告フラグ有り（１）となった場合は、広告管理Ｎｏも合せて登録する。広告管理Ｎｏは、広告配信テーブルＴ２にあるエントリナンバーを指す。広告フラグと広告管理Ｎｏは広告配信機能部２２に連携する。認証テーブルＴ１は、アクセスポイント２０内の揮発性メモリに記憶され、その登録内容は、ユーザ端末１０の切断を検知したタイミングで削除されるようになっている。
【００３４】
図５に示すように、認証テーブルＴ１のＮｏ１のＭＡＣアドレスは「ａａ：ａａ：ａａ：ａａ：ａａ：ａａ」、広告フラグは「１」、広告配信Ｎｏは「１」である。これは、突合結果が一致ありの場合（広告配信テーブルＴ２のＮｏ１の広告ページをＭＡＣアドレス「ａａ：ａａ：ａａ：ａａ：ａａ：ａａ」のユーザ端末１０に配信する場合）を示している。また、認証テーブルＴ１のＮｏ２のＭＡＣアドレスは「ｂｂ：ｂｂ：ｂｂ：ｂｂ：ｂｂ：ｂｂ」、広告フラグは「０」、広告配信Ｎｏは「−」である。これは、突合結果が一致なしの場合を示している。また、認証テーブルＴ１のＮｏ３のＭＡＣアドレスは「ｃｃ：ｃｃ：ｃｃ：ｃｃ：ｃｃ：ｃｃ」、広告フラグは「０」、広告配信Ｎｏは「２」である。これは、広告配信テーブルＴ２のＮｏ２の広告ページをＭＡＣアドレス「ｃｃ：ｃｃ：ｃｃ：ｃｃ：ｃｃ：ｃｃ」のユーザ端末１０に配信済みであることを示している。
【００３５】
（広告配信テーブルの詳細）
図６は、本発明の実施の形態における広告配信テーブルＴ２の設定画面Ｄを示す図である。この図に示すように、広告配信テーブルＴ２は、エントリナンバー毎に「ＳＳＩＤ」「認証情報（参照箇所、値）」「広告ページ」を紐付けて管理している。
【００３６】
設定画面Ｄでは、広告ページ指定のために、「ＳＳＩＤ」「認証情報」「広告ページ」の３点を設定する。具体的には、プルダウン式で「ＳＳＩＤ」を指定する。「参照箇所」については、プルダウン式で「レルム」「ＭＮＣ」「ＡＮＹ」のうちのいずれかを選択する。「レルム」を選択した場合、「値」には「＠」以降を指定する。「ＭＮＣ」を選択した場合、「値」にはキャリアに合わせたＭＮＣコードを指定する。「ＡＮＹ」を選択した場合、「値」は記載不可となっている。「広告ページ」については、表示させたい広告ページを「ＵＲＬ」「ＩＰｖ６アドレス」「ＩＰｖ４アドレス」で指定する。設定画面Ｄ内に設けられた設定ボタンＢを押すと、その設定内容が広告配信テーブルＴ２の領域Ｅ３に反映されるようになっている。
【００３７】
広告配信テーブルＴ２は、アクセスポイント２０内の不揮発性メモリに記憶される。広告配信テーブルＴ２は、「Ｗｅ−ＧＵＩ」や「遠隔設定」を利用して設定可能となっている。「遠隔設定」を利用する方法としては、ＡＰＩを切り出しＪａｖａ（登録商標）バンドルを利用する方法や、ＨＴＴＰインタフェースを利用する方法がある。これらの方法は一例であり、別の方法を用いてもよい。
【００３８】
（広告配信機能部の詳細）
図７は、本発明の実施の形態における広告ページの通知シーケンスを示す図である。この図に示すように、アクセスポイント２０に帰属したユーザ端末１０が認証サーバ７０によって認証される（Ｓ２１〜Ｓ２３）。認証方式は、ＩＥＥＥ８０２．１ｘ認証とＷｅｂ認証の両方に対応している。その後、認証成功したユーザ端末１０でＷｅｂブラウザが起動されると、そのユーザ端末１０からの初回ＨＴＴＰ通信時のみに広告ページを配信する（Ｓ２４〜Ｓ２７）。広告ページの配信は、ユーザ端末１０からの「ＨＴＴＰ  ＧＥＴ」に対し、広告配信テーブルＴ２で指定したＵＲＬを格納した「ＨＴＴＰ  ３０２Ｒｅｄｉｒｅｃｔ」を通知することで実現する（Ｓ２８〜Ｓ２９）。広告配信テーブルＴ２において、ＵＲＬに代えてＩＰｖ４アドレスやＩＰｖ６アドレスが指定されている場合も同様である。広告配信後は認証テーブルＴ１にある広告フラグを「有り（１）→無し（０）」に変更する。これにより、ユーザ端末１０においてＷｅｂブラウジングが可能となる（Ｓ３０）。
【００３９】
図８は、本発明の実施の形態における広告配信機能部２２の動作を示すフローチャートである。まず、広告配信機能部２２は、ＨＴＴＰ通信を受信すると、広告フラグの値を確認する（Ｓ４１）。広告フラグが有り（１）の場合は、ユーザ端末１０に広告ページを通知する（Ｓ４２→Ｓ４４）。ユーザ端末１０が広告ページに接続すると（Ｓ４５）、認証テーブルＴ１の広告フラグを「有り（１）→無し（０）」に変更する（Ｓ４６）。これにより、ユーザ端末１０においてＷｅｂブラウジングが可能となる（Ｓ４７）。一方、広告フラグが無し（０）の場合は、ユーザ端末１０に広告ページを配信済みであるため、ただちにユーザ端末１０においてＷｅｂブラウジングが可能である（Ｓ４２→Ｓ４３）。
【００４０】
（ＥＡＰ−ＳＩＭ認証の詳細）
図９は、本発明の実施の形態における広告配信シーケンスを示す図である。この図に示すように、アクセスポイント２０に帰属したユーザ端末１０が認証サーバ７０によって認証される（Ｓ５１〜Ｓ６５）。ここでは、Ｗｅｂブラウザを利用しない認証方式として、ＩＥＥＥ８０２．１ｘのＥＡＰ−ＳＩＭ認証を利用した場合を示している。ＥＡＰ−ＳＩＭ認証自体は公知であるため、ここでは詳しい説明を省略する。この認証に成功した場合は、既に説明した通り、ユーザ端末１０に広告ページが通知された後、ユーザ端末１０においてＷｅｂブラウジングが可能となる（Ｓ６６〜Ｓ７３）。
【００４１】
（Ｗｅｂ認証の詳細）
図１０は、本発明の実施の形態における広告配信シーケンスを示す図である。この図に示すように、アクセスポイント２０に帰属したユーザ端末１０が認証サーバ７０によって認証される（Ｓ８１〜Ｓ９１）。ここでは、Ｗｅｂブラウザを利用した認証方式（Ｗｅｂ認証）を利用した場合を示している。Ｗｅｂ認証自体は公知であるため、ここでは詳しい説明を省略する。この認証に成功した場合は、既に説明した通り、ユーザ端末１０に広告ページが通知された後、ユーザ端末１０においてＷｅｂブラウジングが可能となる（Ｓ９２〜Ｓ９７）。
【００４２】
以上説明したように、本発明の実施の形態におけるアクセスポイント２０は、ＳＳＩＤ、認証情報、及び広告ページを紐付ける広告配信テーブルＴ２を記憶するＤＲＡＭ／ＦＲＯＭ２３と、ユーザ端末１０から送信される認証情報から接続先を特定する接続先情報を抽出し、広告配信テーブルＴ２と接続先情報を突合し、ＳＳＩＤと認証情報の組み合わせに基づいて配信対象の広告ページを選択する認証機能部２１と、認証成功したユーザ端末１０からの初回ＨＴＴＰ通信時のみに配信対象の広告ページを認証成功したユーザ端末１０に配信する広告配信機能部２２とを備える。これにより、Ｗｅｂブラウザを利用しない認証方式を利用した場合でも、「ＳＳＩＤ＋認証情報」の組み合わせに合わせた広告ページを初回ＨＴＴＰ通信時のみに配信することができる。すなわち、Ｗｅｂブラウザを利用しない新技術認証に対応した広告配信を実現することが可能である。アクセスポイント２０のみで実現できる（広告サーバや受信アプリといった関連装置との連携は不要である）という効果もある。
【００４３】
具体的には、認証機能部２１は、接続先情報として、ユーザＩＤに含まれるレルム又はＳＩＭカードに含まれるＭＮＣを抽出する。これにより、レルム又はＭＮＣに基づいて迅速かつ確実に接続先を特定することが可能である。
【００４４】
また、認証機能部２１は、レルムとＭＮＣのいずれでもないことを意味する特定値（ＡＮＹ）が広告配信テーブルＴ２に設定されている場合、ＳＳＩＤ単位で配信対象の広告ページを選択する。これにより、「ＳＳＩＤ＋認証情報」の組み合わせだけでなく、「ＳＳＩＤ」単位でも広告ページを選択することが可能である。
【００４５】
また、認証機能部２１は、Ｗｅｂブラウザを利用しない認証方式、Ｗｅｂブラウザを利用する認証方式の両方に対応する。すなわち、Ｗｅｂブラウザを利用しない認証方式だけでなく、Ｗｅｂブラウザを利用する認証方式に対応した広告配信を実現することも可能である。
【００４６】
なお、本発明は、このような無線中継装置として実現することができるだけでなく、このような無線中継装置が備える特徴的な機能部をステップとする広告配信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのはいうまでもない。
【符号の説明】
【００４７】
１０…ユーザ端末
２０…アクセスポイント（無線中継装置）
２１…認証機能部
２２…広告配信機能部
２３…ＤＲＡＭ／ＦＲＯＭ（記憶部）
２４…ルータ処理部
３０…固定網
４０…インターネット
５０…Ｗｅｂサーバ
６０…動画サーバ
７０…認証サーバ
Ｔ１…認証テーブル
Ｔ２…広告配信テーブル
【図１】
2017017534.tif 000003
【図２】
2017017534.tif 000004
【図３】
2017017534.tif 000005
【図４】
2017017534.tif 000006
【図５】
2017017534.tif 000007
【図６】
2017017534.tif 000008
【図７】
2017017534.tif 000009
【図８】
2017017534.tif 000010
【図９】
2017017534.tif 000011
【図１０】
2017017534.tif 000012
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
ＳＳＩＤ、認証情報、及び広告ページを紐付ける広告配信テーブルと、認証成功したユーザ端末を登録する認証テーブルとを記憶する記憶部と、
ユーザ端末から送信される認証情報に基づいて上位の認証サーバによる認証が成功した場合、その認証成功したユーザ端末を前記認証テーブルに登録し、前記認証成功したユーザ端末から送信される認証情報から接続先を特定する接続先情報を抽出し、前記広告配信テーブルと前記接続先情報を突合し、前記ＳＳＩＤと前記認証情報の組み合わせに基づいて配信対象の広告ページを選択する認証機能部と、
前記認証成功したユーザ端末からの初回ＨＴＴＰ通信時のみに前記配信対象の広告ページを前記認証成功したユーザ端末に配信する広告配信機能部と
を備えることを特徴とする無線中継装置。
【請求項２】
前記認証機能部は、前記接続先情報として、ユーザＩＤに含まれるレルム又はＳＩＭカードに含まれるＭＮＣを抽出することを特徴とする請求項１に記載の無線中継装置。
【請求項３】
前記認証機能部は、前記レルムと前記ＭＮＣのいずれでもないことを意味する特定値が前記広告配信テーブルに設定されている場合、前記ＳＳＩＤ単位で前記配信対象の広告ページを選択することを特徴とする請求項２に記載の無線中継装置。
【請求項４】
前記認証機能部は、Ｗｅｂブラウザを利用しない認証方式、Ｗｅｂブラウザを利用する認証方式の両方に対応することを特徴とする請求項１〜３のいずれか１項に記載の無線中継装置。
【手続補正２】
【補正対象書類名】明細書
【補正対象項目名】０００８
【補正方法】変更
【補正の内容】
【０００８】
上記目的を達成するため、第１の態様に係る発明は、無線中継装置であって、ＳＳＩＤ、認証情報、及び広告ページを紐付ける広告配信テーブルと、認証成功したユーザ端末を登録する認証テーブルとを記憶する記憶部と、ユーザ端末から送信される認証情報に基づいて上位の認証サーバによる認証が成功した場合、その認証成功したユーザ端末を前記認証テーブルに登録し、前記認証成功したユーザ端末から送信される認証情報から接続先を特定する接続先情報を抽出し、前記広告配信テーブルと前記接続先情報を突合し、前記ＳＳＩＤと前記認証情報の組み合わせに基づいて配信対象の広告ページを選択する認証機能部と、前記認証成功したユーザ端末からの初回ＨＴＴＰ通信時のみに前記配信対象の広告ページを前記認証成功したユーザ端末に配信する広告配信機能部とを備えることを要旨とする。